(57)【要約】  材料の所定のパターンを細長い管状基材上に適用するための機構が、第１のモータと、第１のモータによって回転可能であり、細長い部材を可逆的に把持するように構成され、それによって、第１のモータの回転により、細長い部材をその長手方向軸線を中心として回転させるようになっている、係合部材と、第１の流動性状態を有する流体を分配するように構成された流体ディスペンサであって、流体ディスペンサが、オリフィスを有する遠位端部を有する細長い分配導管を含み、オリフィスが、細長い部材の表面に隣接して配置されるように構成されている、流体ディスペンサと、オリフィスがその相対的な位置を細長い部材の長手方向軸線に沿って変化させるように、細長い部材または細長い分配導管のうちの少なくとも一方を動かすように構成された、第２のモータと、を含み、細長い分配導管の遠位端部が、細長い部材の表面上に付勢を加えるように構成されている。【選択図】  図１
2020531251.tif 000002
【特許請求の範囲】
【請求項１】
材料の所定のパターンを細長い管状基材上に適用するための機構であって、
第１のモータと、
前記第１のモータによって回転可能であり、長手方向軸線を有する細長い部材を可逆的に把持するように構成され、それによって、前記第１のモータの回転により、前記細長い部材をその長手方向軸線を中心として回転させるようになっている、係合部材と、
第１の流動性状態を有する流体を分配するように構成された流体ディスペンサであって、前記流体ディスペンサが、オリフィスを有する遠位端部を有する細長い分配導管を備え、前記オリフィスが、前記細長い部材の表面に隣接して配置されるように構成されている、流体ディスペンサと、
前記オリフィスがその相対的な位置を前記細長い部材の前記長手方向軸線に沿って変化させるように、前記細長い部材または前記細長い分配導管のうちの少なくとも一方を動かすように構成された、第２のモータと、を備え、
前記細長い分配導管の前記遠位端部が、前記細長い部材の前記表面上に付勢を加えるように構成されている、機構。
【請求項２】
前記係合部材が、前記第１のモータと同じ回転速度で回転するように構成されている、請求項１に記載の機構。
【請求項３】
前記係合部材が、前記第１のモータと異なる回転速度で回転するように構成されている、請求項１に記載の機構。
【請求項４】
前記係合部材が、前記第１のモータと異なる回転方向に回転するように構成されている、請求項１〜３のいずれか一項に記載の機構。
【請求項５】
前記係合部材が、前記第１のモータと同じ回転方向に回転するように構成されている、請求項１〜３のいずれか一項に記載の機構。
【請求項６】
前記係合部材を前記第１のモータに連結するギヤ装置をさらに備える、請求項１〜５のいずれか一項に記載の機構。
【請求項７】
前記流体を第２の実質的に固化した状態に変化させるように構成された転換モジュールをさらに備える、請求項１〜６のいずれか一項に記載の機構。
【請求項８】
前記転換モジュールが、前記流体を、高温にさらすことによって、その第１の流動性状態からその第２の実質的に固化した状態に変化させるように構成された加熱器を備える、請求項７に記載の機構。
【請求項９】
前記転換モジュールが、前記流体を、放射にさらすことによって、その第１の流動性状態からその第２の実質的に固化した状態に変化させるように構成された光源を備える、請求項７に記載の機構。
【請求項１０】
前記放射が、紫外線（ＵＶ）放射を含む、請求項９に記載の機構。
【請求項１１】
前記転換モジュールが、接着促進剤を分配するように構成されたディスペンサを備える、請求項７に記載の機構。
【請求項１２】
前記細長い分配導管の前記遠位端部が、少なくとも部分的に前記細長い分配導管の片持ち梁曲げにより、前記付勢を加えるように構成されている、請求項１〜１１のいずれか一項に記載の機構。
【請求項１３】
前記細長い分配導管が、ステンレス鋼を含む、請求項１〜１２のいずれか一項に記載の機構。
【請求項１４】
前記細長い分配導管が、皮下管を備える、請求項１〜１２のいずれか一項に記載の機構。
【請求項１５】
前記細長い分配導管の前記遠位端部が、前記細長い分配導管の前記遠位端部に近接して位置する第１の旋回点を中心として少なくとも第１の回転円弧を描いて動くように構成されており、前記細長い分配導管が、付勢要素に連結され、それによって、前記細長い分配導管の前記遠位端部が、少なくとも部分的に前記付勢要素を介して前記付勢を加えるように構成されている、請求項１〜３のいずれか一項に記載の機構。
【請求項１６】
前記付勢要素がばねを備える、請求項１５に記載の機構。
【請求項１７】
前記ばねがらせん状ばねを備える、請求項１６に記載の機構。
【請求項１８】
前記オリフィスが円形断面を有する、請求項１〜１７のいずれか一項に記載の機構。
【請求項１９】
前記オリフィスが、楕円形または長円形断面を有する、請求項１〜３のいずれか一項に記載の機構。
【請求項２０】
前記オリフィスが矩形断面を有する、請求項１〜３のいずれか一項に記載の機構。
【請求項２１】
それぞれがオリフィスを有する、１つまたは複数の追加の細長い分配導管をさらに備え、前記１つまたは複数の追加の細長い分配導管の各オリフィスが、前記細長い分配導管の前記オリフィスと直線状に並べられている、請求項１〜３のいずれか一項に記載の機構。
【請求項２２】
前記細長い分配導管の前記遠位端部が、曲線形状を有する、請求項１〜３のいずれか一項に記載の機構。
【請求項２３】
前記細長い分配導管の前記遠位端部が、前記細長い分配導管の近位部分に対して角度を付けられている、請求項１〜３のいずれか一項に記載の機構。
【請求項２４】
前記係合部材が、非円形外周を有する細長い部材を可逆的に把持するように構成されている、請求項１〜３のいずれか一項に記載の機構。
【請求項２５】
前記係合部材が、楕円形または長円形外周を有する細長い部材を可逆的に把持するように構成されている、請求項２４に記載の機構。
【請求項２６】
前記係合部材が、Ｄ字形外周を有する細長い部材を可逆的に把持するように構成されている、請求項２４に記載の機構。
【請求項２７】
前記細長い分配導管の前記遠位端部と前記細長い部材の前記表面との間の距離を調節するように構成された第３のモータをさらに備える、請求項１〜３のいずれか一項に記載の機構。
【請求項２８】
前記細長い分配導管の前記遠位端部と前記細長い部材の前記表面との間の前記距離に関する情報を提供するように構成された近接センサをさらに備える、請求項２７に記載の機構。
【請求項２９】
前記第１のモータの動作を制御するように構成されたコントローラをさらに備える、請求項１〜３のいずれか一項に記載の機構。
【請求項３０】
前記第２のモータの動作を制御するように構成されたコントローラをさらに備える、請求項１〜３のいずれか一項に記載の機構。
【請求項３１】
前記第１のモータおよび前記第２のモータの動作を制御するように構成されたコントローラをさらに備える、請求項１〜３のいずれか一項に記載の機構。
【請求項３２】
前記第１のモータ、前記第２のモータ、および前記第３のモータのうちの少なくとも１つの動作を制御するように構成されたコントローラをさらに備える、請求項２７に記載の機構。
【請求項３３】
前記コントローラが、前記第１のモータおよび前記第２のモータの動作を制御するように構成されている、請求項３２に記載の機構。
【請求項３４】
材料の所定のパターンを細長い管状基材上に適用するための機構であって、
第１のモータと、
前記第１のモータによって回転可能であり、長手方向軸線を有する細長い部材を可逆的に保持するように構成され、それによって、前記第１のモータの回転により、前記細長い部材をその長手方向軸線を中心として回転させるようになっている、係合部材と、
第１の流動性状態を有する流体を分配するように構成された流体ディスペンサであって、前記流体ディスペンサが、オリフィスを有する遠位端部を有する細長い分配導管を備え、前記オリフィスが、前記細長い部材の表面に隣接して配置されるように構成されている、流体ディスペンサと、
前記オリフィスがその相対的な位置を前記細長い部材の前記長手方向軸線に沿って変化させるように、前記細長い部材または前記細長い分配導管のうちの少なくとも一方を動かすように構成された、第２のモータと、
前記係合部材から第１の距離だけ離間し、第１、第２、および第３のローラを含む、可変ベアリングであって、前記第１、第２、および第３のローラがそれぞれ、前記細長い部材の一回転にわたって前記細長い部材の前記表面に同時に接触するように構成されている、可変ベアリングと、を備える、機構。
【請求項３５】
前記可変ベアリングが、基部を含み、前記第１のローラが、前記基部に対して固定された第１の回転軸を中心として回転するように構成されており、前記第２のローラが、前記基部に対して固定された第２の回転軸を中心として回転するように構成されており、前記第３のローラが、前記基部に対して動くことができる第３の回転軸を中心として回転するように構成されている、請求項３４に記載の機構。
【請求項３６】
前記第３のローラが、レバーアームの第１の端部に回転式に連結されており、前記レバーアームの第２の端部が、前記第３の回転軸とは異なる第４の回転軸において、前記基部に回転式に連結されている、請求項３５に記載の機構。
【請求項３７】
前記レバーアームが、前記基部に対して付勢されている、請求項３６に記載の機構。
【請求項３８】
前記レバーアームと前記基部との間に前記付勢をもたらすように構成された付勢要素をさらに備える、請求項３７に記載の機構。
【請求項３９】
前記付勢要素がばねを備える、請求項３８に記載の機構。
【請求項４０】
前記ばねがらせん状ばねを備える、請求項３９に記載の機構。
【請求項４１】
前記係合部材が、前記第１のモータと同じ回転速度で回転するように構成されている、請求項３４〜４０のいずれか一項に記載の機構。
【請求項４２】
前記係合部材が、前記第１のモータと異なる回転速度で回転するように構成されている、請求項３４〜４０のいずれか一項に記載の機構。
【請求項４３】
前記係合部材が、前記第１のモータと異なる回転方向に回転するように構成されている、請求項３４〜４０のいずれか一項に記載の機構。
【請求項４４】
前記係合部材が、前記第１のモータと同じ回転方向に回転するように構成されている、請求項３４〜４０のいずれか一項に記載の機構。
【請求項４５】
前記係合部材を前記第１のモータに連結するギヤ装置をさらに備える、請求項３４〜４０のいずれか一項に記載の機構。
【請求項４６】
前記流体を第２の実質的に固化した状態に変化させるように構成された転換モジュールをさらに備える、請求項３４〜４０のいずれか一項に記載の機構。
【請求項４７】
前記転換モジュールが、前記流体を、高温にさらすことによって、その第１の流動性状態からその第２の実質的に固化した状態に変化させるように構成された加熱器を備える、請求項４６に記載の機構。
【請求項４８】
前記転換モジュールが、前記流体を、放射にさらすことによって、その第１の流動性状態からその第２の実質的に固化した状態に変化させるように構成された光源を備える、請求項４６に記載の機構。
【請求項４９】
前記放射が、紫外線（ＵＶ）放射を含む、請求項４８に記載の機構。
【請求項５０】
前記転換モジュールが、接着促進剤を分配するように構成されたディスペンサを備える、請求項４６に記載の機構。
【請求項５１】
前記オリフィスが、楕円形または長円形断面を有する、請求項３４〜４０のいずれか一項に記載の機構。
【請求項５２】
前記オリフィスが矩形断面を有する、請求項３４〜４０のいずれか一項に記載の機構。
【請求項５３】
それぞれがオリフィスを有する、１つまたは複数の追加の細長い分配導管をさらに備え、前記１つまたは複数の追加の細長い分配導管の各オリフィスが、前記細長い分配導管の前記オリフィスと直線状に並べられている、請求項３４〜４０のいずれか一項に記載の機構。
【請求項５４】
前記細長い分配導管の前記遠位端部が、曲線形状を有する、請求項３４〜４０のいずれか一項に記載の機構。
【請求項５５】
前記細長い分配導管の前記遠位端部が、前記細長い分配導管の近位部分に対して角度を付けられている、請求項３４〜４０のいずれか一項に記載の機構。
【請求項５６】
前記係合部材が、非円形外周を有する細長い部材を可逆的に保持するように構成されている、請求項３４〜４０のいずれか一項に記載の機構。
【請求項５７】
前記係合部材が、楕円形または長円形外周を有する細長い部材を可逆的に保持するように構成されている、請求項５６に記載の機構。
【請求項５８】
前記係合部材が、Ｄ字形外周を有する細長い部材を可逆的に保持するように構成されている、請求項５６に記載の機構。
【請求項５９】
前記細長い分配導管の前記遠位端部と前記細長い部材の前記表面との間の距離を調節するように構成された第３のモータをさらに備える、請求項３４〜４０のいずれか一項に記載の機構。
【請求項６０】
前記細長い分配導管の前記遠位端部と前記細長い部材の前記表面との間の前記距離に関する情報を提供するように構成された近接センサをさらに備える、請求項５９に記載の機構。
【請求項６１】
前記第１のモータの動作を制御するように構成されたコントローラをさらに備える、請求項３４〜４０のいずれか一項に記載の機構。
【請求項６２】
前記第２のモータの動作を制御するように構成されたコントローラをさらに備える、請求項３４〜４０のいずれか一項に記載の機構。
【請求項６３】
前記第１のモータおよび前記第２のモータの動作を制御するように構成されたコントローラをさらに備える、請求項３４〜４０のいずれか一項に記載の機構。
【請求項６４】
前記第１のモータ、前記第２のモータ、および前記第３のモータのうちの少なくとも１つの動作を制御するように構成されたコントローラをさらに備える、請求項５９に記載の機構。
【請求項６５】
前記コントローラが、前記第１のモータおよび前記第２のモータの動作を制御するように構成されている、請求項６４に記載の機構。
【請求項６６】
前記コントローラが、前記第３のモータの動作を制御するようにさらに構成されている、請求項６５に記載の機構。
【請求項６７】
前記細長い分配導管の前記遠位端部が、前記細長い部材の前記表面に付勢を加えるように構成されている、請求項３４〜４０のいずれか一項に記載の機構。
【請求項６８】
１つまたは複数のコンピュータ上で実行された際に、前記第１または第２のモータのうちの少なくとも１つを動作させる命令を提供する、非一時的なコンピュータ可読媒体において実現されたコンピュータプログラムをさらに備える、請求項１〜６７のいずれか一項に記載の機構。
【請求項６９】
１つまたは複数のコンピュータ上で実行された際に、前記第１、第２、または第３のモータのうちの少なくとも１つを動作させる命令を提供する、非一時的なコンピュータ可読媒体において実現されたコンピュータプログラムをさらに備える、請求項２７、２８、３２、５９、６０、６４、６５、および６６のいずれか一項に記載の機構。
【請求項７０】
材料の所定のパターンを細長い管状基材上に適用するための方法であって、
非円形外周を有する細長いチューブを入手するステップと、
前記細長いチューブの一部を、請求項１〜３および３４〜４０のいずれか一項に記載の機構の前記係合部材に固定するステップと、
前記機構の前記第１のモータを動作させて前記細長いチューブを回転させるステップと、
前記機構の前記オリフィスが前記細長いチューブの長手方向軸線に沿ってその相対的な位置を変化させるように、前記機構の前記第２のモータを動作させて、前記細長いチューブまたは前記機構の前記細長い分配導管のうちの少なくとも一方を動かすステップと、
導電性接着剤を前記機構の前記流体ディスペンサから放出して、前記導電性接着剤の所定のパターンを前記細長いチューブの表面上に形成するステップと、を含む、方法。
【請求項７１】
前記導電性接着剤が第１の流動性状態から第２の実質的に固化した状態に変化することを引き起こすか、または可能にするステップをさらに含む、請求項７０に記載の方法。
【請求項７２】
引き起こすか、または可能にする前記ステップが、前記導電性接着剤を高温にさらすステップを含む、請求項７１に記載の方法。
【請求項７３】
引き起こすか、または可能にする前記ステップが、前記導電性接着剤を紫外線（ＵＶ）放射にさらすステップを含む、請求項７１に記載の方法。
【請求項７４】
非円形外周を有する細長いチューブを入手するステップと、
前記細長いチューブの一部を、請求項１〜３および３４〜４０のいずれか一項に記載の機構の前記係合部材に固定するステップと、
前記機構の前記第１のモータを動作させて前記細長いチューブを回転させるステップと、
前記機構の前記オリフィスが前記細長いチューブの長手方向軸線に沿ってその相対的な位置を変化させるように、前記機構の前記第２のモータを動作させて、前記細長いチューブまたは前記機構の前記細長い分配導管のうちの少なくとも一方を動かすステップと、
導電性接着剤を前記機構の前記流体ディスペンサから放出して、前記導電性接着剤の所定のパターンを前記細長いチューブの表面上に形成するステップと、
を含むプロセスによって製造された、医療器具。
【請求項７５】
前記細長い分配導管の存在を感知するように構成された近接センサをさらに備える、請求項１３または１４に記載の機構。
【請求項７６】
前記近接センサが誘導近接センサである、請求項７５に記載の機構。
【請求項７７】
前記近接センサが容量性近接センサである、請求項７５に記載の機構。
【請求項７８】
前記近接センサが磁気近接センサである、請求項７５に記載の機構。
【請求項７９】
前記近接センサがレーザを利用する、請求項７５に記載の機構。
【請求項８０】
中空または管状構造体を有するおもちゃであって、
第１の表面と、
前記第１の表面上に配された１つまたは複数のエレクトロルミネセント素子と、
前記１つまたは複数のエレクトロルミネセント素子を動作させるように構成された回路と、を備える、おもちゃ。
【請求項８１】
前記おもちゃが、膨張性風船を備え、前記第１の表面が、前記膨張性風船の壁を備える、請求項８０に記載のおもちゃ。
【請求項８２】
前記膨張性風船の前記壁が、ポリエステルを含む、請求項８１に記載のおもちゃ。
【請求項８３】
前記おもちゃが、柔らかなダーツを備える、請求項８０に記載のおもちゃ。
【請求項８４】
前記第１の表面が、前記ダーツのフィンを構成している、請求項８３に記載のおもちゃ。
【請求項８５】
前記第１の表面が、前記ダーツの本体を構成している、請求項８３に記載のおもちゃ。
【請求項８６】
前記ダーツが発泡体を含む、請求項８３〜８５のいずれか一項に記載のおもちゃ。
【請求項８７】
前記発泡体が、ポリウレタン発泡体を含む、請求項８６に記載のおもちゃ。
【請求項８８】
請求項１または３４に記載の機構を入手するステップと、
前記機構を用いて、前記１つまたは複数のエレクトロルミネセント素子を前記第１の表面に適用するステップと、
のプロセスによって製造された、請求項８０〜８７のいずれか一項に記載のおもちゃ。
【請求項８９】
フレームと、
前記フレームに連結された１つまたは複数のレンズと、
前記フレームまたは前記１つもしくは複数のレンズのうちの少なくとも一方の上に保持された１つまたは複数の加熱素子と、
を備える、防曇アイウェア。
【請求項９０】
前記１つまたは複数のレンズが矯正用である、請求項８９に記載の防曇アイウェア。
【請求項９１】
前記１つまたは複数のレンズが矯正用ではない、請求項８９に記載の防曇アイウェア。
【請求項９２】
前記１つまたは複数のレンズがガラスを含む、請求項８９〜９１のいずれか一項に記載の防曇アイウェア。
【請求項９３】
前記１つまたは複数のレンズがポリマーを含む、請求項８９〜９１のいずれか一項に記載の防曇アイウェア。
【請求項９４】
前記防曇アイウェアが、日光の影響の少なくとも一部から着用者の目を保護するように構成されている、請求項８９〜９３のいずれか一項に記載の防曇アイウェア。
【請求項９５】
前記防曇アイウェアが、スキー中に着用者によって着用されるように構成されている、請求項８９〜９４のいずれか一項に記載の防曇アイウェア。
【請求項９６】
前記防曇アイウェアが、水泳中に着用者によって着用されるように構成されている、請求項８９〜９４のいずれか一項に記載の防曇アイウェア。
【請求項９７】
前記１つまたは複数の加熱素子のうちの少なくともいくつかが、前記フレーム上に配されている、請求項８９〜９６のいずれか一項に記載の防曇アイウェア。
【請求項９８】
前記１つまたは複数の加熱素子のうちの少なくともいくつかが、前記１つまたは複数のレンズ上に配されている、請求項８９〜９７のいずれか一項に記載の防曇アイウェア。
【請求項９９】
前記１つまたは複数の加熱素子のうちの少なくともいくつかが、抵抗加熱素子を備える、請求項８９〜９６のいずれか一項に記載の防曇アイウェア。
【請求項１００】
請求項１または３４に記載の機構を入手するステップと、
前記機構を用いて、前記１つまたは複数の加熱素子を前記フレームまたは前記１つもしくは複数のレンズのうちの前記少なくとも一方に適用するステップと、
のプロセスによって製造された、請求項８９〜９９のいずれか一項に記載の防曇アイウェア。
【請求項１０１】
内側表面および外側表面を有する容器本体と、
前記内側表面または前記外側表面のうちの少なくとも一方に保持されている１つまたは複数の加熱素子と、
を備える、飲用グラス。
【請求項１０２】
前記容器本体がガラスを含む、請求項１０１に記載の飲用グラス。
【請求項１０３】
前記容器本体がポリマーを含む、請求項１０１に記載の飲用グラス。
【請求項１０４】
前記容器本体がセラミックを含む、請求項１０１に記載の飲用グラス。
【請求項１０５】
前記外側表面が、ユーザによって把持されるように構成された第１の準表面を含み、前記１つまたは複数の加熱素子のいずれも、前記第１の準表面上に保持されていない、請求項１０１〜１０４のいずれか一項に記載の飲用グラス。
【請求項１０６】
請求項１または３４に記載の機構を入手するステップと、
前記機構を用いて、前記１つまたは複数の加熱素子を前記容器本体に適用するステップと、
のプロセスによって製造された、請求項１０１〜１０５のいずれか一項に記載の飲用グラス。
【請求項１０７】
前記医療器具が、気管内チューブ、鼻腔胃（ＮＧ）チューブ、ラリンゲアルマスク、胃洗浄チューブ、胃吸引チューブ、胃減圧チューブ、経口胃チューブ、サンプチューブ、Ｓａｌｅｍチューブ、Ｌｅｖｉｎチューブ、胃内容吸引／栄養チューブ、鼻腔チューブ、経鼻空腸栄養チューブ、胃減圧チューブ、経鼻腸チューブ、Ｍｉｌｌｅｒ−Ａｂｂｏｔｔチューブ、またはＳｅｎｇｓｔａｋｅｎ−Ｂｌａｋｅｍｏｒｅチューブからなるリストから選択された器具を備える、請求項７４に記載の医療器具。
【請求項１０８】
材料の所定のパターンを細長い管状基材上に適用するための方法であって、
非円形外周を有する細長いチューブの第１の部分を、第１のモータによって回転されるように構成された係合部材に固定し、それによって、前記細長いチューブを前記係合部材と同時に回転できるようにする、ステップと、
前記第１のモータを動作させて前記細長いチューブを回転させるステップと、
第２のモータを動作させて、前記細長いチューブと分配導管との間の相対変位を前記細長いチューブの長手方向軸線に沿って変化させるステップと、
導電性接着剤を流体ディスペンサから前記分配導管を通じて放出して、前記導電性接着剤の所定のパターンを前記細長いチューブの表面上に形成するステップであって、前記導電性接着剤の前記所定のパターンは、前記非円形外周に沿った前記表面の少なくとも１８０°を、前記長手方向軸線に沿った少なくとも２ｍｍの幅にわたって覆う、ステップと、を含む、方法。
【請求項１０９】
前記細長いチューブの前記表面が、前記細長いチューブの前記第１の部分とは異なる、前記細長いチューブの第２の部分に位置する、請求項１０８に記載の方法。
【請求項１１０】
前記導電性接着剤の前記所定のパターンが、前記非円形外周に沿った前記表面の少なくとも２７０°を、前記長手方向軸線に沿った少なくとも２ｍｍの幅にわたって覆う、請求項１０８または１０９に記載の方法。
【請求項１１１】
前記導電性接着剤の前記所定のパターンが、前記非円形外周に沿った前記表面の３６０°を、前記長手方向軸線に沿った少なくとも２ｍｍの幅にわたって覆う、請求項１１０に記載の方法。
【請求項１１２】
前記導電性接着剤の前記所定のパターンが、前記非円形外周に沿った前記表面の少なくとも１８０°を、前記長手方向軸線に沿った少なくとも５ｍｍの長さにわたって覆う、請求項１０８または１０９に記載の方法。
【請求項１１３】
前記導電性接着剤の前記所定のパターンが、前記非円形外周に沿った前記表面の２７０°を、前記長手方向軸線に沿った少なくとも５ｍｍの長さにわたって覆う、請求項１１２に記載の方法。
【請求項１１４】
前記導電性接着剤の前記所定のパターンが、前記非円形外周に沿った前記表面の３６０°を、前記長手方向軸線に沿った少なくとも５ｍｍの長さにわたって覆う、請求項１１３に記載の方法。
【請求項１１５】
放出する前記ステップが、前記分配導管の遠位端部が前記細長いチューブの１回転にわたって前記細長いチューブの前記表面と接触したままとなるように、前記細長いチューブの前記表面に対して前記分配導管の前記遠位端部によって付勢を加えるステップをさらに含む、請求項１０８〜１１４のいずれか一項に記載の方法。
【請求項１１６】
前記第１のモータを動作させて前記細長いチューブを回転させる前記ステップが、前記係合部材から第１の距離だけ離間した前記細長いチューブ上の位置で、前記細長いチューブを第１、第２、および第３のローラと同時に接触させ、それによって、前記第１、第２、および第３のローラがそれぞれ、それらが回転する際に前記細長いチューブと接触したままとなるようにする、ステップをさらに含む、請求項１０８〜１１５のいずれか一項に記載の方法。
【請求項１１７】
前記第１、第２、および第３のローラのうちの少なくとも１つが、前記細長いチューブに付勢を課すように構成されている、請求項１１６に記載の方法。
【請求項１１８】
前記第１、第２、および第３のローラのうちの前記少なくとも１つが、前記第１、第２、および第３のローラのうちの残りに対して前記細長いチューブを付勢するように構成されている、請求項１１７に記載の方法。
【請求項１１９】
第１の流動性状態から第２の実質的に固化した状態への、前記導電性接着剤の変化を加速させるか、または補助するステップをさらに含む、請求項１０８〜１１８のいずれか一項に記載の方法。
【請求項１２０】
加速させるか、または補助する前記ステップが、前記導電性接着剤を加熱するステップを含む、請求項１１９に記載の方法。
【請求項１２１】
加速させるか、または補助する前記ステップが、紫外線（ＵＶ）放射を前記導電性接着剤に適用するステップを含む、請求項１１９に記載の方法。
【請求項１２２】
加速させるか、または補助する前記ステップが、化学系接着促進剤を適用するステップを含む、請求項１１９に記載の方法。
【請求項１２３】
前記分配導管の少なくとも一部の位置を感知するステップをさらに含む、請求項１０８〜１２２のいずれか一項に記載の方法。
【請求項１２４】
前記係合部材が磁性を有する、請求項３４〜４０のいずれか一項に記載の機構。
【請求項１２５】
磁性を有する前記係合部材が、前記細長い部材の内腔内部に配置された鉄の物体を磁気的に引き付けるように構成されている、請求項１２４に記載の機構。
【請求項１２６】
外側円筒形表面、内腔、壁、前記壁の第１の穴および前記壁の第２の穴を有するポリマーチューブと、
前記チューブの前記内腔を少なくとも部分的に通って延びる導体であって、前記第１の穴を出て前記第２の穴に入る、導体と、
前記第１の穴と前記第２の穴との間の部分において前記導体を前記チューブの前記外側円筒形表面に固定する第１の導電性接着剤層と、
前記第１の穴と前記第２の穴との間の前記部分において前記導体および前記第１の導電性接着剤層を覆う第２の導電性接着剤層と、
を備える、医療器具。
【請求項１２７】
前記第２の導電性接着剤層が、前記チューブの外周に３６０°にわたって広がっている、請求項１２６に記載の医療器具。
【請求項１２８】
前記チューブが、非円形外周を有する、請求項１２６または１２７に記載の医療器具。
【請求項１２９】
前記第２の導電性接着剤層が、前記第１の導電性接着剤層を完全に覆っている、請求項１２６〜１２８のいずれか一項に記載の医療器具。
【請求項１３０】
未硬化または未固化状態の前記第２の導電性接着剤層が、未硬化または未固化状態の前記第１の導電性接着剤層とは異なる粘度を有する、請求項１２６〜１２９のいずれか一項に記載の医療器具。
【請求項１３１】
未硬化または未固化状態の前記第２の導電性接着剤層が、未硬化または未固化状態の前記第１の導電性接着剤層より低い粘度を有する、請求項１３０に記載の医療器具。
【請求項１３２】
前記導体が、前記チューブの前記内腔内部に位置する前記導体のセクションに誘電コーティングまたはジャケットを有する、請求項１２６〜１３１のいずれか一項に記載の医療器具。
【請求項１３３】
前記センサまたは電極が、請求項１〜３および３４〜４０のいずれか一項に記載の機構を使用することによって、形成されている、請求項１２６〜１３２のいずれか一項に記載の医療器具。
【請求項１３４】
少なくとも前記第２の導電性接着剤層が、電極を備える、請求項１２６〜１３３のいずれか一項に記載の医療器具。
【請求項１３５】
少なくとも前記第２の導電性接着剤層が、センサを備える、請求項１２６〜１３３のいずれか一項に記載の医療器具。
【請求項１３６】
前記コントローラが、前記第３のモータの動作を制御するようにさらに構成されている、請求項３３に記載の機構。
【発明の詳細な説明】
【技術分野】
【０００１】
[0001]本発明の分野は、生体の腔内部で診断または治療処置を実行するためのシステムに関する。
【背景技術】
【０００２】
[0002]可撓性プラスチック材料で作られた医療器具に機能性を付加するため、膨張式カフ、風船、スリーブ、または膜上に導電性フレキシブル電子回路を印刷するプロセスが開発された。いくつかの代表的な実施形態は、気管内チューブ、経鼻胃チューブを含むが、これらに制限されない。非円形である外周を有する管、またはある程度の複雑さを有する特徴部に対して、このプロセスを使用する場合、問題が生じる。
【発明の概要】
【０００３】
[0003]本開示の一実施形態では、材料の所定のパターンを細長い管状基材上に適用するための機構が、第１のモータと、第１のモータによって回転可能であり、長手方向軸線を有する細長い部材を可逆的に把持するように構成され、それによって、第１のモータの回転により、細長い部材をその長手方向軸線を中心として回転させるようになっている、係合部材と、第１の流動性状態を有する流体を分配するように構成された流体ディスペンサであって、流体ディスペンサが、オリフィスを有する遠位端部を有する細長い分配導管を含み、オリフィスが、細長い部材の表面に隣接して配置されるように構成されている、流体ディスペンサと、オリフィスがその相対的な位置を細長い部材の長手方向軸線に沿って変化させるように、細長い部材または細長い分配導管のうちの少なくとも一方を動かすように構成された、第２のモータと、を備え、細長い分配導管の遠位端部が、細長い部材の表面上に付勢を加えるように構成されている。
【０００４】
[0004]本開示の別の実施形態では、材料の所定のパターンを細長い管状基材上に適用するための機構が、第１のモータと、第１のモータによって回転可能であり、長手方向軸線を有する細長い部材を可逆的に保持するように構成され、それによって、第１のモータの回転により、細長い部材をその長手方向軸線を中心として回転させるようになっている、係合部材と、第１の流動性状態を有する流体を分配するように構成された流体ディスペンサであって、流体ディスペンサが、オリフィスを有する遠位端部を有する細長い分配導管を含み、オリフィスが、細長い部材の表面に隣接して配置されるように構成されている、流体ディスペンサと、オリフィスがその相対的な位置を細長い部材の長手方向軸線に沿って変化させるように、細長い部材または細長い分配導管のうちの少なくとも一方を動かすように構成された、第２のモータと、係合部材から第１の距離だけ離間し、第１、第２、および第３のローラを含む、可変ベアリングであって、第１、第２、および第３のローラがそれぞれ、細長い部材の一回転にわたって細長い部材の表面に同時に接触するように構成されている、可変ベアリングと、を備える。
【０００５】
[0005]本開示のさらに別の実施形態では、中空または管状構造体を有するおもちゃが、第１の表面と、第１の表面上に配された１つまたは複数のエレクトロルミネセント素子と、１つまたは複数のエレクトロルミネセント素子を動作させるように構成された回路と、を含む。
【０００６】
[0006]本開示のさらに別の実施形態では、防曇アイウェアが、フレームと、フレームに連結された１つまたは複数のレンズと、フレームまたは１つまたは複数のレンズのうちの少なくとも一方の上に保持された１つまたは複数の加熱素子と、を含む。
【０００７】
[0007]本開示のさらに別の実施形態では、飲用グラスが、内側表面および外側表面を有する容器本体と、内側表面または外側表面のうちの少なくとも一方に保持された１つまたは複数の加熱素子と、を含む。
【０００８】
[0008]本開示のさらに別の実施形態では、材料の所定のパターンを細長い管状基材上に適用するための方法が、非円形外周を有する細長いチューブの第１の部分を、第１のモータによって回転されるように構成された係合部材に固定し、それによって、細長いチューブを係合部材と同時に回転できるようにするステップと、第１のモータを動作させて細長いチューブを回転させるステップと、第２のモータを動作させて、細長いチューブと分配導管との間の相対変位を細長いチューブの長手方向軸線に沿って変化させるステップと、導電性接着剤を流体ディスペンサから分配導管を通じて放出して、導電性接着剤の所定のパターンを細長いチューブの表面上に形成するステップと、を含み、導電性接着剤の所定のパターンは、非円形外周に沿った表面の少なくとも１８０°を、長手方向軸線に沿った少なくとも２ｍｍの幅にわたって覆う。
【０００９】
[0009]本開示のさらに別の実施形態では、医療器具が、外側円筒形表面、内腔、壁、壁の第１の穴、および壁の第２の穴を有する、ポリマーチューブと、チューブの内腔を少なくとも部分的に通って延びる導体であって、第１の穴を出て第２の穴に入る、導体と、第１の穴と第２の穴との間の部分において導体をチューブの外側円筒形表面に固定する第１の導電性接着剤層と、第１の穴と第２の穴との間の部分において導体および第１の導電性接着剤層を覆う第２の導電性接着剤層と、を含む。
【図面の簡単な説明】
【００１０】
【図１】本開示の実施形態による、接着剤を細長い構成要素に適用するための機械の斜視図である。
【図２】図１の機械の上面図である。
【図３】図１の機械の斜視図である。
【図４】本開示の実施形態による、図１の機械の動的ローラベアリングの詳細図である。
【図５】本開示の実施形態による、図１の機械の接着剤ディスペンサおよび針の詳細図である。
【図６】本開示の実施形態による、コントローラの平面図である。
【図７Ａ】本開示の実施形態による、接着剤ディスペンサおよび針の詳細図である。
【図７Ｂ】さらなるチューブの回転後の図７Ａの接着剤ディスペンサの詳細図である。
【図７Ｃ】本開示の実施形態による、接着剤ディスペンサおよび針の詳細図である。
【図７Ｄ】本開示の実施形態による、接着剤ディスペンサおよび針の詳細図である。
【図７Ｅ】本開示の実施形態による、接着剤ディスペンサおよび針の詳細図である。
【図７Ｆ】本開示の実施形態による、接着剤ディスペンサおよび針の詳細図である。
【図７Ｇ】本開示の実施形態による、接着剤ディスペンサおよび針の詳細図である。
【図７Ｈ】本開示の実施形態による、接着剤ディスペンサおよび針の詳細図である。
【図７Ｉ】本開示の実施形態による、接着剤ディスペンサおよび針の詳細図である。
【図７Ｊ】本開示の実施形態による、接着剤ディスペンサおよび針の詳細図である。
【図８】本開示の実施形態による、動的ローラベアリングを有する固定具の斜視図である。
【図９】図８の固定具の側面図である。
【図１０】図８の固定具の正面図である。
【図１１】本開示の実施形態による、使用中に接着剤を細長い構成要素に適用するための機械の斜視図である。
【図１２】第１の状態にある使用中の図１１の機械の側面図である。
【図１３】第２の状態にある使用中の図１１の機械の側面図である。
【図１４】第３の状態にある使用中の図１１の機械の側面図である。
【図１５】第４の状態にある使用中の図１１の機械の側面図である。
【図１６】第１の動作段階における図１１の機械の正面図である。
【図１７】第２の動作段階における図１１の機械の正面図である。
【図１８】第３の動作段階における図１１の機械の正面図である。
【図１９】第４の動作段階における図１１の機械の正面図である。
【図２０】第５の動作段階における図１１の機械の正面図である。
【図２１】第６の動作段階における図１１の機械の正面図である。
【図２２】本開示の実施形態による電気接続部を形成する第１のプロセス中の構成要素の斜視図である。
【図２３】電気接続部を形成する第２のプロセス後の図２２の構成要素の斜視図である。
【図２４】本開示の実施形態による、近接センサの側面図である。
【図２５】本開示の実施形態による、近接センサの側面図である。
【図２６】本開示の実施形態による、近接センサの側面図である。
【図２７】本開示の実施形態による、近接センサの端面図である。
【図２８】エレクトロルミネセント素子を有する風船の斜視図である。
【図２９】エレクトロルミネセント素子を有するおもちゃのダーツの斜視図である。
【図３０】抵抗加熱素子を有する眼鏡の斜視図である。
【図３１】抵抗加熱素子を有するスキー用ゴーグルの斜視図である。
【図３２】抵抗加熱素子を有する水泳用ゴーグルの斜視図である。
【図３３】抵抗加熱素子を有する飲用グラスの側面図である。
【発明を実施するための形態】
【００１１】
[0052]本発明の実施形態は、細長いチューブもしくはシャフト、または成形表面（ｃｏｎｔｏｕｒｅｄ  ｓｕｒｆａｃｅｓ）上に適用された材料の所定のパターンを有する医療器具、医療器具の構成要素、または他の非医療器具もしくは構成要素を製造するための機械および方法、ならびにこれらの機械を使用するための方法を含む。
【００１２】
[0053]いくつかのタイプの医療器具は、ポリマー体、シャフト、管、または風船によって保持された導電性トレースを利用する。少なくともいくつかが粘膜組織に接触する、体腔内部に配列された電極センサを用いた血流の生体インピーダンス法の例は、１９９８年８月１１日に発行され、発明の名称を「ＡＰＰＡＲＡＴＵＳ  ＡＮＤ  ＭＥＴＨＯＤ  ＯＦ  ＢＩＯＥＬＥＣＴＲＩＣＡＬ  ＩＭＰＥＤＡＮＣＥ  ＡＮＡＬＹＳＩＳ  ＯＦ  ＢＬＯＯＤ  ＦＬＯＷ」とする、米国特許第５，７９１，３４９号明細書、１９９８年７月２１日に発行され、発明の名称を「ＡＰＰＡＲＡＴＵＳ  ＡＮＤ  ＭＥＴＨＯＤ  ＯＦ  ＢＩＯＥＬＥＣＴＲＩＣＡＬ  ＩＭＰＥＤＡＮＣＥ  ＡＮＡＬＹＳＩＳ  ＯＦ  ＢＬＯＯＤ  ＦＬＯＷ」とする米国特許第５，７８２，７７４号明細書、２０００年８月１日に発行され、発明の名称を「ＡＰＰＡＲＡＴＵＳ  ＡＮＤ  ＭＥＴＨＯＤＳ  ＯＦ  ＢＩＯＥＬＥＣＴＲＩＣＡＬ  ＩＭＰＥＤＡＮＣＥ  ＡＮＡＬＹＳＩＳ  ＯＦ  ＢＬＯＯＤ  ＦＬＯＷ」とする、米国特許第６，０９５，９８７号明細書、および２００１年９月１８日に発行され、発明の名称を「ＡＰＰＡＲＡＴＵＳ  ＡＮＤ  ＭＥＴＨＯＤＳ  ＯＦ  ＢＩＯＥＬＥＣＴＲＩＣＡＬ  ＩＭＰＥＤＡＮＣＥ  ＡＮＡＬＹＳＩＳ  ＯＦ  ＢＬＯＯＤ  ＦＬＯＷ」とする、米国特許第６，２９２，６８９号明細書で見ることができ、これらはすべて、あらゆる目的で参照により全体として本明細書に組み込まれる。
【００１３】
[0054]センサおよび導電性トレースを有する装置はまた、２０１６年１１月１０日に公開され、発明の名称を「ＳＹＳＴＥＭＳ  ＡＮＤ  ＭＥＴＨＯＤＳ  ＦＯＲ  ＩＮＴＥＲＮＡＬ  ＥＣＧ  ＡＣＱＵＩＳＩＴＩＯＮ」とする、国際公開番号ＷＯ２０１６／１７９５６３号明細書、および２０１７年１１月２日に出願され、発明の名称を「ＳＹＳＴＥＭＳ  ＡＮＤ  ＭＥＴＨＯＤＳ  ＦＯＲ  ＩＮＴＥＲＮＡＬ  ＥＣＧ  ＡＣＱＵＩＳＩＴＩＯＮ」とする、共有の米国特許出願第１５／５７１，３５０号明細書に記載するように、電気的タイミング情報を提供するために患者の身体から心電図信号を入手するのに利用され得、これらの特許文献はいずれもあらゆる目的で参照により全体として本明細書に組み込まれる。
【００１４】
[0055]センサ、導電性トレース、または他のパターンを、非円形である外周を有する管上に、または、ある程度の複雑さを有するか、もしくは非平面である特徴部上に、適用する場合に、問題が生じる。図１および図２は、導電性接着剤１０２を、細長い基材１０４、またはカテーテルチューブもしくはプローブ本体を含む、医療器具シャフト（管）に適用するように構成された、機械１００を示す。機械１００は、基部１０６を備え、基部１０６は、基部１０６に固定された静止底部分１１０を有する長手方向スライド１０８と、静止底部分１１０に対してスライド可能である変位可能な上部分１１２と、を含む。上部分１１２に取り付けられ、上部分と共に移動可能であるのが、モータ１１４である。モータ１１４は、医療器具シャフト１０４の端部分１１８に固定可能、かつこれから解放可能となるように構成された、ロック部材１１６（または係合部材）に回転連結される。ロック部材１１６は、医療器具シャフト１０４の周りでユーザによって締められるか、または緩められ（もしくはロックおよびロック解除され）得る、チャックまたはシンチまたは圧縮ロック（トーイボーストシール（Ｔｏｕｈｙ−Ｂｏｒｓｔ  ｓｅａｌ）に類似）を備え得る。あるいは、ロック部材１１６は、磁石を含み得、医療器具シャフト１０４の内腔内部に設置された鉄鋼材料（例えば、ステンレス鋼マンドレル）に固定されるように構成され得る。ロック部材１１６が医療器具シャフト１０４にロックまたは固定されると、ロック部材１１６の回転により、医療器具シャフト１０４の１対１の回転が生じる。よって、モータ１１４の動作により、医療器具シャフト１０４は、ロック部材１１６を介して回転される。１つまたは複数のギヤ１１７が、モータ１１４とロック部材１１６との間に設置され、モータ１１４の回転に対してロック部材の回転を加速もしくは減速させ、かつ／または回転方向を変化させることができる。よって、ロック部材１１６および医療器具シャフト１０４は、モータ１１４の回転子もしくはシャフトと同じ方向に、またはモータの回転子もしくはシャフトとは反対方向に、回転させられ得る。さらに、ロック部材１１６および医療器具シャフト１０４は、モータ１１４の回転子もしくはシャフトと同じ回転速度、またはモータの回転子もしくはシャフトとは異なる回転速度で（より遅いか、もしくはより速く）回転させられ得る。本明細書における目的は、機械１００が、円形外周を有する（すなわち、断面で見た場合）シャフトもしくは管１０４だけでなく、Ｄ字形、長円形、卵形、または楕円形外周を含むがこれらに制限されない、非円形外周を有するシャフトもしくは管１０４にも適応することである。ロック部材１１６は、円形または非円形の管１０４に固定可能（かつこれから解放可能）となるように構成され、それによって、管１０４にロックされると、モータ１１４は、ロック部材１１６を回転させるように動作され得、よって、管１０４をその長手方向軸線１２０を中心として回転させる。
【００１５】
[0056]モータ１２２が、（図１に示すように、管１０４の長手方向軸線１２０に平行な）いずれかの長手方向に、底部分１１０に対して、長手方向スライド１０８の上部分１１２を長手方向に移動させるように構成される。コントローラ１２４が、モータ１１４、１２２の動作を制御するように構成され、それによって、管１０４の回転と長手方向運動との任意の組み合わせが達成され得る。当技術分野で既知のいくつかのコントローラ１２４、例えば、図６にさらに詳細に示される、米国メリーランド州ブルックビルのＳｙｎｔｈｅｔｏｓ，ＬＬＣが販売する、ＵＳＢベースのＣＮＣ６軸コントローラであるＴｉｎｙＧ（商標）、が使用され得る。
【００１６】
[0057]機械１００は、シリンジ１２６を含み、これは、プランジャ／バレルシリンジを含み得るか、または、内圧で作動されるシリンジであってよい。図１から図２のシリンジ１２６は、加圧注入システム１２８に対して、これらの間に接続されたガスライン１３０を介して取り付けられる。加圧注入システム１２８は、空気、濾過空気、窒素、または二酸化炭素を含む、いくつかのガスを使用し得る。注入中にシリンジ１２６のバレル１３２の内部に送達される内圧は、約４ポンド／平方インチ（０．２７ａｔｍ）〜約１２ポンド／平方インチ（０．８２ａｔｍ）、または約６ポンド／平方インチ（０．４１ａｔｍ）〜約８ポンド／平方インチ（０．５４ａｔｍ）であってよいが、利用される圧力は、シリンジ１２６と共に使用されている中空（皮下）針１３６の内径および長さ次第であってもよい。シリンジ１２６のバレル１３２は、導電性接着剤１３４を満たされ、シリンジ１２６／加圧注入システム１２８は、針１３６または他のチューブ（金属、プラスチックなど）を通じて、導電性接着剤１３４を注入するように構成される。図５を見ると、針１３６は、シリンジ１２６のバレル１３２に流体連結された近位ハブ１３８を含む。針１３６はまた、オリフィス１４２を有する遠位部分１４０を含み、オリフィス１４２を通じて、注入された導電性接着剤１３４が加圧時に出る。いくつかの実施形態では、シリンジ１２６は、（例えば、ｘ、ｙ、およびｚ軸に沿って）長手方向スライド１０８の上部分１１２に対して、相対位置が手動で調節可能であってよい。シリンジ１２６はまた、例えば、湾曲するか、または略まっすぐでない針１３６が利用される場合に、回転可能であってよい。他の実施形態では、少なくとも１つのモータ１４４、例えば、１つ、２つ、３つ、または４つのモータが、シリンジ１２６の位置および／または角度の向きを自動的に調節するため、さらに具体的には、管１０４に対して、針１３６のオリフィス１４２の位置および向きを調節するために、使用され得る。本明細書でさらに説明するように、管１０４がモータ１１４によって回転される間に非円形外周を有する管１０４の表面１４６との密接な関係にオリフィス１４２を維持するための複数の手段が説明される。これらの手段はまた、管１０４の表面１４６との密接な関係にオリフィス１４２を維持するように構成され得る。例えば、管１０４が先細になる外側横方向寸法または直径を有する場合、これは、管１０４がモータ１２２によって長さ方向に変位されるときに管１０４の隣接部分の直径を変化させる。
【００１７】
[0058]いったんオリフィス１４２が導電性接着剤１３４で覆われるかまたはコーティングされる管１０４の表面１４６に近接させられると、予めプログラムされた一連の（モータ１１４を介する）管１０４の回転および（モータ１２２を介する）管１０４の長手方向運動が、（例えば、コントローラ１２４によって）実行され、加圧注入システム１２８は、管１０４の表面１４６上に適用された導電性接着剤１３４の特定のパターンを作り出すために（手動で、またはコントローラ１２４からのコマンドを介して）導電性接着剤１３４を注入するようコマンドを与えられる。接着剤１３４のパターン１４８の適用後の別個の管１０４は、図１において、基部１０６の上で長手方向スライド１０８の隣で支持されて示されている。パターン１４８は、導電性バンド１５０ａ〜１５０ｃ、または長手方向トレーシング１５２を含み得、これは、はんだまたは他の接合方法を用いて、導電性バンド１５０ａ〜１５０ｃのうちの１つまたは複数を導電体（銅線など）（不図示）に電気的に接続するのに使用され得る。バンド１５０ａ〜１５０ｃおよび長手方向トレーシング１５２の適用後、長手方向トレーシング１５２の上に、またバンド１５０ａ〜１５０ｃの一部の上にも、またははんだ接合部の上に、誘電材料を適用するのが望ましい場合がある。誘電材料は、シリンジ１２６と同様のシリンジ内に配置され、導電性接着剤１３４と同様に機械１００によって適用され得る。二次硬化または固化プロセスも、いったん適用された、導電性接着剤１３４または誘電材料のいずれかの、液体または流動性形態から、さらに固体または硬化した形態への変化を加速させるか、最適化するか、または単に完了させるために使用され得る。二次動作は、機械１００に連結された転換モジュール（不図示）によって実行されるか、または、機械１００と共に使用され得る。いくつかの実施形態では、（例えば、上昇した）温度が、加熱器、例えば、温風、赤外線加熱、ハロゲンランプ、放射、架橋を用いて、使用され得る。他の実施形態では、紫外線（ＵＶ）硬化が組み込まれ得る。他の実施形態では、化学的接着促進剤が、例えばスプレーによって、適用され得る。管１０４は、制御された均一な様式で所望の変化または凝固を生じさせるために、温度または放射を適用する間、回転され得る。バンド１５０ａ〜１５０ｃは、センサ、電極、（電気接続のための）接点、および／または加熱素子（例えば、抵抗加熱器）を含む、医療器具に共通のいくつかの異なる素子として機能するように組み込まれ得る。導電性接着剤１３４または誘電材料はそれぞれ、シリンジ１２６内に入れられる前に混合されガス抜きされ得（必要な場合）、または、他の実施形態では、それらは、事前混合され、凍らせて保管され、その後、使用前に解凍され得る。コンピュータプログラムが、非一時的なコンピュータ可読媒体において実現され得、これは、１つまたは複数のコンピュータ上で実行された際に、モータ１１４、１２２、１４４のうちの少なくとも１つを動作させる命令を提供する。
【００１８】
[0059]医療用シャフトおよび管は、しばしば非円形外周を有する。多内腔押出は、ポリマー管材料の冷却および凝固中の不均一の冷却または不均一の応力により、典型的には、管に丸くない断面を作り出す。多くの医療器具シャフトは、複合構造を有し、丸くない断面を生じる特定の素子を含む（硬化ワイヤ、電線、ガイドワイヤ内腔）。管１０４の丸さまたは丸みのなさの程度に関わらず、バンド１５０ａ〜１５０ｃまたは他の特徴部、例えば長手方向トレーシング１５２が、管１０４の表面１４６上にスムーズかつ連続して置かれることが望ましいので、丸くない（非円形外周を有する）管１０４は、回転中に安定するように、機械１００内部に保持される。
【００１９】
[0060]１つまたは複数の保持部材１５４は、管１０４を支えるように、また、針１３６の遠位部分１４０およびオリフィス１４２が、覆われるかまたはコーティングされる管１０４の表面１４６の部分にアクセスすることができるように、構成される。図３および図４を見ると、保持部材１５４は、フィンガ１５６ａ〜１５６ｅを含み、これは、保持部材１５４と共に、ローラ１５８、１６０、１６２を保持し、これらのローラ１５８、１６０、１６２は、円形外周または非円形外周を有する細長い部材の周りに３つの向かい合う線形接点を維持するように、捕捉ローラｖブロックとして役立つよう構成される。ローラ１５８、１６０、１６２は、ロック部材１１６から、例えば、約１ｃｍ〜約１００ｃｍ、または約２ｃｍ〜約５０ｃｍ、または約２ｃｍ〜約２５ｃｍの長手方向距離だけ離間している。例えば、図１では、支えられて、非円形外周を有する管１０４の制御された回転を可能にする、保持部材１５４ａが示され、支えられて、略円形外周を有するマンドレル１６４の制御された回転を可能にする、保持部材１５４ｂが示されている。
【００２０】
[0061]図８から図１０を見ると、保持部材２５４は、アクセストラフ２５７ａ〜２５７ｇによって分離された、フィンガ２５６ａ〜２５６ｈを備える。保持部材２５４の長さに延びる長手方向空間２５９は、管１０４またはマンドレル１６４の設置を可能にするように構成される。特に第１のフィンガ２５６ａに注目すると、第１のローラ２５８は、フィンガ２５６ａの第１の突出部２０５の穴２０３を通って、またフィンガ２５６ａの第２の突出部２０９の穴（不図示）を通って、設置された、第１のピン２０１を中心として回転可能である。第１のローラ２５８は、第１の軸２１１を中心として回転するように構成され、よって、第１の軸２１１は、保持部材２５４に対して静止している。第２のローラ２６０は、フィンガ２５６ａの第３の突出部２１７の穴２１５を通って、また、フィンガ２５６ａの第４の突出部２１９の穴（不図示）を通って、設置された、第２のピン２１３を中心として回転可能である。第２のローラ２６０は、第２の軸２２１を中心として回転するように構成され、よって、第２の軸２２１も、保持部材２５４に対して静止している。第１のローラ２５８および第２のローラ２６０は、第１の部分２２３および第２の部分２２５それぞれに、ローラｖブロックを形成する。第３のローラ２６２は、アーム２３３の第１の突出部２３１の第１の穴２２９およびアーム２３３の第２の突出部２３７の第２の穴（不図示）を通ってピン２２７によって回転保持される。アーム２３３は、軸２３９において保持部材２５４に回転連結される。よって、アーム２３３は、保持部材２５４に対して静止している、軸２３９を中心として円弧２４１を描いて回転する。アーム２３３は、（保持部材２５４の穴を通る）ピン２４２によって回転保持される。第３のローラ２３３は、軸２４３を中心として回転し、軸２４３は、アーム２３３に対して静止しているが、保持部材２５４に対して移動可能である（静止していない）。第１の付勢部材２４７および第２の付勢部材２４９は、図９においてらせんばね素子として示されている。付勢部材２４７、２４９は、図３の保持部材１５４のアーム（見えない）の付勢部材１４７と類似しており、１つまたは複数の弾性バンドを備える。らせんおよび非らせんばねを含む、他のタイプの付勢部材が使用され得る。これらは、板ばね、リビングヒンジ、および弾性限界内で動作するように構成された、介在圧迫材料を含む。図９に戻ると、第１の付勢部材２４７は、アーム２３３および保持部材２５４第１の部分２５１に連結され、第２の付勢部材２４９は、アーム２３３および保持部材２５４の第２の部分２５３に連結される。よって、ローラ２６２は、第１のローラ２５８および第２のローラ２６０に近づくか、もしくはこれらから遠ざかることによって調節され、丸くない管もしくはシャフトの横方向寸法の変化に適応することができ、よって、管１０４の回転中に管１０４の表面１４６上のすべての点において回転する３点（線）接触を可能にする。これは、図１１から図１５でさらに詳細に説明される。
【００２１】
[0062]図１１は、第１の内腔２７２および第２の内腔２７４のそれぞれが中に延びる、２内腔管２７０を備えた、図８の保持部材２５４を示す。図１１の保持部材２５４は、付勢部材２４７、２４９がアーム２３３と保持部材２５４との間の内部板ばね２６１で置換されている点で、図８の保持部材２５４から変更されている。管２７０は、非円形外周を有し、実質的にＤ字形である。管２７０が（例えば、機械１００のモータ１１４によって）回転すると、アーム２３３は、板ばね２６１によって加えられる付勢から、開閉し、それによって、ローラ２６２は、管２７０の表面２６３との接触を維持し、ローラ２６２はまた、管２７０をローラ２５８、２６０それぞれに押し付ける。よって、アーム２３３の動きにより、ローラ２５８、２６０、２６２は可変ベアリングとして役立つことができる。図１２では、第１の内腔２７２および第２の内腔２７４は、それぞれ左および右に配置される。図１３では、管２７０は、湾曲した矢印で示す回転方向に６０°回転されている。図１４では、管２７０は、この同じ回転方向にさらに３０°回転されている。図１５では、管２７０は、この同じ回転方向にさらに６０°回転されている。いかなる場合も、ローラ２５８、２６０、２６２はそれぞれ、管２７０の表面２６３との接触を維持し、よって、管の向きを安定させ維持する。管２７０の長手方向軸線２６５は、管２７０が、ローラ２５８、２６０、２６２との接触を維持するために必要に応じて上下左右に動くことができるので、必ずしも保持部材２５４に対して静止したままではないことに留意されたい。分かるように、針１３６のオリフィス１４２を管２７０の表面２６３の近くに維持する他の手段も本明細書に記載される。
【００２２】
[0063]図７Ａは、２内腔の楕円形チューブ２８０が、湾曲した矢印に対応する回転方向に回転しているところを示す。シリンジ２８２は、導電性接着剤２８４を、（皮下管または針を含み得る）管２８６を通じて、オリフィス２８８から、注入し、これによって、導電性接着剤２８４を、チューブ２８０の表面２９０上に適用して、特徴部２９２を作る。管２８６の遠位部分２９４は、チューブ２８０の表面２９０に対して予荷重力Ｆで押し下げられ、それによって、チューブ２８０が図７Ｂの位置まで回転されると、管２８６の遠位部分２９４（よって、オリフィス２８８）は、（例えば、屈曲により）下がって、チューブ２８０の表面２９０と接触したままとなる。遠位部分２９４は、チューブ２８０が一回転する間中、またチューブ２８０が複数回回転する間中、チューブ２８０の表面２９０と接触したままとなるように構成される。よって、管２８６のオリフィス２８８が非円形外周の３６０°の回転にわたってチューブ２８０の表面２９０の近くにとどまることが確実となる、予荷重力Ｆが選択され得る。図７Ａおよび図７Ｂでは、予荷重力は、ステンレス鋼などの金属材料であってよいか、または、ポリマー材料、例えばＰＴＦＥ、ポリエチレン、もしくはポリプロピレンであってよい、管２８６の片持ち梁の曲げに全面的に基づいて、付勢される。管２８６の直径、長さ、または壁厚は、所望の予荷重力を達成するために、選択された各異なる材料（係数）で変更され得る。さらに、特定の荷重変位（ひずみ）が、所望の予荷重を達成するように選択され得る。多様な管２８６が本明細書に記載される実施形態のいずれでも利用され得るが、代表的な管２８６は、０．００４５インチ〜０．００９５インチ、または約０．００５インチ〜約０．００７インチの内径を有する、３０４ステンレス鋼の皮下管を含む。
【００２３】
[0064]図７Ｃは、代替的な実施形態を示し、予荷重付勢が、管２９６の片持ち梁の曲げの代わりに、付勢要素によって達成される。シリンジ２８２は、中空の可撓性ベローズ２９７を介して管２９６に流体取り付けされ、これにより、管２９６とシリンジ２８２との間の角度変位（角形成）２９５を可能にする。引っ張りばね２９８および対向する圧縮ばね２９９は、管２９６の遠位部分２９３（よって、オリフィス２９１）をチューブ２８０の表面２９０に対して付勢する予荷重力Ｆを提供する。他の実施形態では、引っ張りばね２９８のみが利用される。他の実施形態では、圧縮ばね２９９のみが利用される。他の実施形態では、ばね２９８、２９９が使用されないが、その代わりに、可撓性ベローズ２９７が、形状記憶ポリマーから湾曲形状で熱形成され、よって、これを付勢要素にする。いくつかの実施形態では、予荷重付勢は、管２８６の曲げと、圧縮ばね２９８、２９９の変位との組み合わせによって達成され得る。
【００２４】
[0065]図７Ｄは、ガスライン３０１およびディスペンサチューブ３０２を備えたシリンジ３００を示し、ディスペンサチューブ３０２は、遠位端部３０６に横方向の切り込み３０４を有し、標準的な形でディスペンサチューブ３０２に対して横方向に向けられたオリフィス３０８を有する。遠位端部３０６におけるエッジ３１０は、面取りされる（ｆｉｌｌｅｔｅｄ）か、または別様に平滑化されておらず、よって、管３１２は、第１の方向３１４にのみ回転して、導電性接着剤３１６を適用し、これは、反対方向への回転は、予荷重力Ｆが適用された場合にエッジ３１０が管３１２の表面３１８に引っかかるおそれがあるためである。いくつかの実施形態では、単一の方向３１４が、所望のパターンを管３１２の表面３１８に適用するのに必要な唯一の回転方向である。しかしながら、図７Ｅは、閉鎖端部３２２および側方穴オリフィス３２４を有するディスペンサチューブ３２０を備えたシリンジ３００を示す。側方穴オリフィス３２４は、いずれの回転方向３２６にも管３１２の表面３１８に沿ってスライドし得る。図７Ｆは、オリフィス３３２を備えた傾斜端部３３０を有するディスペンサチューブ３２８を備えたシリンジ３００を示す。傾斜端部３３０は、鈍角にすることによってエッジ３３４を最小限にし、よって、いずれの回転方向３２６にも管３１２の自由な回転を可能にする。図７Ｇは、まっすぐな近位部分３３８と、近位部分３３８に対して角度がある遠位部分３４０と、を有するディスペンサチューブ３３６を備えたシリンジ３００を示す。まっすぐな近位部分３３８と角度がある遠位部分３４０との間の移行は、緩やかな、もしくはつながった曲線であってよいか、または直角に近くてよい（頂点においていくらかの曲率半径を有する）。ディスペンサチューブ３３６の端部３４２は、管３１２の表面３１８に沿って同じ高さで進み、これにより、端部３４２およびオリフィス３４４は、管３１２がいずれの回転方向３２６に回転する間も、管３１２の表面に近接したままとなる。その他のチューブ／針などで見られるように、ディスペンサチューブ３３６は、その片持ち梁の曲げによって、または追加の付勢要素によって、またはこれら２つの組み合わせによって、付勢を加え得る。ディスペンサチューブ３３６の曲線形状は、ディスペンサチューブ３３６のオリフィス３４４を管３１２の表面に隣接して最もよく方向付け、かつ所望の付勢を管３１２に加えるような、角度、半径もしくは曲率および／または長さで構成され得る。
【００２５】
[0066]図７Ｄから図７Ｇに示すディスペンサチューブ３０２、３２０、３２８、３３８は、円形断面を有する内腔を有する円形管で作られている。しかしながら、楕円形、長円形、矩形、正方形、三角形、または他の多角形形状を含む、ディスペンサチューブの他の構成が望ましい場合がある。オリフィスも、円形、楕円形、長円形、矩形、正方形、三角形、または他の多角形形状などの、他の形状を含み得る。図７Ｈは、楕円形オリフィス３５２を有する楕円形ディスペンサチューブ３５０を示す。接着剤適用の増大した幅Ｗ１は、それぞれの特定の内腔断面積で達成され得る。幅Ｗ１が接着剤で覆われている管の長手方向軸線に沿って方向付けられると、パターンを形成するのに必要とされる管の回転数が少なくなり得る。パターンは、例えば、接着剤により管上に形成された３６０°のバンドを含み得る。よって、必要な回転数が減少すると、この方法で構成要素を製造する時間および費用を減らすことができる。図７Ｉは、実質的に矩形のオリフィス３５６を有する実質的に矩形のディスペンサチューブ３５４を示す。チューブ３５４は、いくらか大きなアスペクト比を有することにより、それぞれの特定の内腔断面積で、さらに大きな幅Ｗ２が可能となる。図７Ｊは、マルチチューブアレイ３６０を備える複合ディスペンサチューブ３５８を示し、各個別のチューブ３６２ａ〜３６２ｆは、（例えば、ハブを介して）シリンジに流体連結され、端部オリフィス３６４ａ〜３６４ｆを有する。複合ディスペンサチューブ３５８は、図７Ｉの矩形のディスペンサチューブ３５４と同様であるが、単にいくつかの標準的な皮下チューブを一緒に線形アレイで取り付けることによって作られ得る。さらに、各チューブの小さな直径により、曲げの柔軟性が望まれる場合に、その特性を増大させることができる。
【００２６】
[0067]図１６から図２１は、導電性接着剤１０２を管１０４に適用する、使用中の機械１００を示す。シリンジの針１３６のオリフィス１４２は、コントローラ１２４（図６）によって、トラフ１５７ａ内に、フィンガ１５６ａ（図１６）に向かって方向付けられ、管１０４は、モータ１１４（図１）によって（回転方向１１１に）回転する。接着剤１０２は、管１０４が回転し、モータ１２２が管１０４を長手方向に並進運動させて導電性バンド１５０ａ（図１７）を形成する間、適用される。オリフィス１４２が管１０４の表面に沿ってとる相対的経路は、らせん状であってよく、または、長手方向に並べられた一連の同心円を備え得る。らせんを形成するため、モータ１１４およびモータ１２２はそれぞれ、一定の速度で動作し得る。一連の同心円を形成するため、モータ１１４は、モータ１２２が停止する間に動作し、接着剤１０２の３６０°以上の適用を形成することができ、その後、モータ１２２は、適用された接着剤１０２の幅よりわずかに短い距離だけ管１０４を割り出し得る（よって、少なくともいくらか重ねる）。次に、モータ１１４は、モータ１２２が再び停止する間に動作し、第１のバンドにわずかに重なる別の３６０°のバンドを形成し、結果として得られるバンドをより幅広くすることができる。導電性バンド１５０ａは、管１０４の円形もしくは非円形外周に沿った表面の少なくとも１８０°、または少なくとも２７０°、または３６０°を覆い得る。導電性バンド１５０ａは、管１０４の長手方向軸線に沿って少なくとも２ｍｍ、または少なくとも５ｍｍ、または約１ｍｍ〜約２０ｍｍ、または約２ｍｍ〜約１０ｍｍの長さを有し得る。コントローラ１２４はモータ１１４、１２２にコマンドを与えることができ、それによって、連続動作では、これらは、らせん運動を生じ、または、コントローラ１２４は、モータ１１４、１１２について、停止および開始コマンドを含んで、一連の同心円を含む運動を生じ得る。図１８は、シリンジ１２６／針１３６がコントローラ１２４からのコマンドを介して、１つまたは複数のモータ１４４（図１）によってトラフ１５７ａから（例えば、上方向に）動かされているところを示す。図１９は、管１０４がコントローラ１２４からのコマンドを介して、モータ１２２によって長手方向に（図１９における右に）動かされているところを示す。シリンジ１２６の針１３６のオリフィス１４２は、コントローラ１２４によって、トラフ１５７ｃ内に、フィンガ１５６ｃ（図２０）に向かって方向付けられ、管１０４は、モータ１１４によって（回転方向１１１に）回転する。接着剤１０２は、管１０４が回転し、モータ１２２が管１０４を長手方向に並進運動させて別の導電性バンド１５０ｃ（図２１）を形成する間、適用される。
【００２７】
[0068]図２２は、電気接続部３７４（図２３）が形成されるポリマーチューブ３７２を備える医療器具３７０を示す。例えば絶縁カバー３７３を有する銅線３７１を備える導体３７６が、チューブ３７２の内腔３７８を通される。２つの穴３８０、３８２が、チューブ３７２の壁３６９に形成され、導体３７６は、第１の穴３８０から出て、第２の穴３８２に入る。いくつかの実施形態では、導体３７６は、内腔３７８を通って延び続け、その中に固定されてもよい（接着により、またはエポキシ結合される）。チューブ３７２の外側で第１の穴３８０と第２の穴３８２との間を延びるセクション３８４は、その外部電気絶縁材料３７３を取り除かれる。これは、導体３７６が２つの穴３８０、３８２を通過する前、または後から、セクション３８４において実行され得る。第１のコーティングまたは被覆プロセスが次に、線３８８と線３９０との間のエリア３８６を覆うために第１の粘度を有する第１の導電性接着剤３９２を利用して実行される。第１の導電性接着剤３９２は、手動で、または本明細書中、その実施形態のいずれかに記載される機械１００で、適用され得る。この第１のコーティングまたは被覆プロセスに続き、露出したワイヤ３７１のセクション３８４が、チューブ３７２の表面３９４に対して保持される。適用中に（例えば、未硬化状態で）十分に高い粘度を示す第１の導電性接着剤３９２が選択されるので、例えば、穴３８０、３８２を少なくとも部分的に満たして、より強い接合部を形成することが可能である。例えば、第１の導電性接着剤３９２を破線の矩形３９３内部のエリア３９１にのみ適用することが望ましい場合がある。本明細書中、その実施形態のいずれかに記載される機械１００を利用する、図２３に示すような第２のコーティングまたは被覆プロセスでは、第２の導電性接着剤３９６が、第１の導電性接着剤３９２上に適用されて、線３９７と線３９８との間に延びる導電性バンド３９９を形成する。適用中に第１の導電性接着剤３９２より低い粘度を有するように、また、第１の導電性接着剤３９２に十分接着し、良好な電気接触を保証するように、第２の導電性接着剤３９６が選択され得る。第１の導電性接着剤３９２は、第２の導電性接着剤３９６の適用前に完全にセットアップされるか、固化されるか、もしくは硬化され得、または、部分的にのみセットアップされるか、固化されるか、もしくは硬化され得る。よって、第１のコーティングまたは被覆プロセスでは、第１の導電性接着剤３９２は、「粘着性」または「セットアップ」を提供し、第２のコーティングまたは被覆プロセスでは、第２の導電性接着剤は、電気接続部３７４を完成させる。よって、電気接続部３７４は、ワイヤ３７１と導電性バンド３９９を導電的に結合する。このプロセスを用いると、電気接続部３７４は、著しく空隙が無く、よって、電流の流れの信頼性が高レベルである。
【００２８】
[0069]機械１００（図１から図２）の針１３６（図５）は、コントローラ１２４からのコマンドによって動かされ得、または、前述したように、手動で動かされ得る。さらに、１つまたは複数の感知装置が、機械１００において利用され、針１３６の動き、ひいてはオリフィス１４２の位置を制御し得る。針４０２を有するシリンジ４００が図２４に示される。プレート４０６を有する容量性近接センサ４０４が、プレート４０６と針４０２との間のギャップを感知する。容量性近接センサ４０４は、針４０２の、全体的な位置特定（一般的な標的エリア）、または、より細かい正確な配置に利用され得る。
【００２９】
[0070]針４０２を有するシリンジ４００が図２５に示される。誘導コイル４１２を有する誘導近接センサ４１０が、誘導コイル４１２と針４０２との間のギャップｇを感知する。針４０２は、金属材料、例えば、ステンレス鋼を含む。誘導近接センサ４１０は、針４０２の、全体的な位置特定（一般的な標的エリア）、または、より細かい正確な配置に利用され得る。
【００３０】
[0071]針４０２を有するシリンジ４００が図２６に示される。小さな磁石４２４が針４０２によって保持される。リードスイッチ４２２を有する磁気近接センサ４２０が、リードスイッチ４２２と針４０２の磁石４２４との間のギャップｇを感知する。磁気近接センサ４２０は、針４０２の、全体的な位置特定（一般的な標的エリア）、または、より細かい正確な配置に利用され得る。
【００３１】
[0072]針４０２を有するシリンジ４００が図２７に示される。エミッタ４３０およびレシーバ４３２を備えるレーザマイクロメータ４３１が、スキャンビーム４３４を、エミッタ４３０からレシーバ４３２へと、垂直矢印の方向に通過させる。レーザマイクロメータ４３１は、針４０２がいつスキャンビーム４３４を横切り始めたか、例えば、いつ水平矢印の方向に、ビーム４３４内へと動いているか、を感知するように、プログラムされ得る。レーザマイクロメータ４３１は、針４０２の、全体的な位置特定（一般的な標的エリア）、または、より細かい正確な配置のための近接センサとして利用され得る。図２４から図２７に記載する実施形態のいずれにおいても、コントローラ１２４は、針４０２の特定のギャップｇまたは特定の位置が感知されると、針４０２の動きを停止させるようにプログラムされ得る。所望のギャップｇが、例えばユーザインターフェースで、メモリ内に入力され得、それによって、コントローラ１２４は、選択されたギャップｇの値を比較する。
【００３２】
[0073]本明細書で教示される改善点を組み込み得る装置は、標準的な、または修正された気管内チューブ、鼻腔胃（ＮＧ）チューブ、ラリンゲアルマスク、胃洗浄チューブ、胃吸引チューブ、胃減圧チューブ、Ｅｗａｌｄ経口胃チューブ、Ｌａｖａｃｕｔｏｒ（登録商標）経口胃チューブ、Ｅｄｌｉｃｈ経口胃チューブ、サンプチューブ、Ｓａｌｅｍチューブ、Ｌｅｖｉｎチューブ、胃内容吸引／栄養チューブ、Ｍｏｓｓ  Ｍａｒｋ  ＩＶ鼻腔チューブ、Ｄｏｂｂｈｏｆｆ経鼻空腸栄養および胃減圧チューブ、経鼻腸チューブ、Ｍｉｌｌｅｒ−Ａｂｂｏｔｔチューブ、またはＳｅｎｇｓｔａｋｅｎ−Ｂｌａｋｅｍｏｒｅチューブを含む。
【００３３】
[0074]導電材料の適用を組み込まず、むしろ非導電材料を組み込む、他の実施形態が思い描かれる。いくつかの実施形態は、抵抗加熱を介して身体の一部に温熱療法を送達するための装置を構築するのに使用され得る、高抵抗性材料を含む抵抗性材料を組み込んでよい。いくつかの実施形態は、放射不透過性材料を組み込み得る。抵抗性材料を組み込み得る装置は、（例えば、出血を止めるための）経尿道アブレーション、経子宮滅菌（例えば、卵管）、心電図アブレーション処置、または近接照射療法のための装置を含む。
【００３４】
[0075]医療器具に加えて、他の製品が、本明細書に開示される非平面状の表面上に材料のパターンを設置するための方法および器具のうちのいくつかまたはすべてを用いて構築され得る。図２８は、周辺に延びる縫い目５０６に沿って第２の材料シート５０４に固定された第１の材料シート５０２（または壁）を含む膨張性風船５００を示す。第１および第２のシートは、ポリエステル、例えばポリエチレンテレフタレート（ＰＥＴ）を含み得る。第１のシート５０２および第２のシート５０４は、ウレタン接着剤のような柔軟な接着剤、または米国オハイオ州ストウのＭｏｒｇａｎ  Ａｄｈｅｓｉｖｅｓ  Ｃｏｍｐａｎｙが製造するＵｇｌｕ（登録商標）接着剤ストリップ、もしくはＳｔｒｅｔｃｈｙ（商標）風船テープを含む、柔軟なテープストリップを用いて、縫い目５０６において固定され得る。入口５１０が、第１のシート５０２および第２のシート５０４のそれぞれの底部に位置し、風船５００を、空気より軽いガス、例えばヘリウムで満たすように構成される。ひも５１２が、例えば、入口５１０において、風船５００に固定され得る。ひも５１２は、例えば結び目５１１において、入口５１０を縛るのに用いられ得、または別個のプラグ（不図示）が、入口５１０の中に入れられて、入口５１０からガスが流れるのを防ぐことができる。風船５００は、膨張した状態で図２８に示され、エレクトロルミネセンス性の文字５１４ａ〜５１４ｍが、第１のシート５０２の表面５１６上に記載されている。エレクトロルミネセンス性の文字５１４ａ〜５１４ｍは文字として示されているが、他の実施形態では、エレクトロルミネセンス性の文字５１４ａ〜５１４ｍは、他のエレクトロルミネセンス性の文字、デザイン、もしくは絵と置換されるか、またはこれらによって補強され得る。追加のエレクトロルミネセンス性の文字５１４ａ〜５１４ｍが、第２のシート５０４の表面（不図示）上に記載され得る。トレース５２０を含む回路５１８、マルチワイヤケーブル５２２、およびプリント基板（ＰＣＢ）５２４が、（例えば、はんだ付けによって）互いに、またエレクトロルミネセンス性の文字５１４ａ〜５１４ｍに、電気接続される。トレース５２０（またはトレーシング）およびエレクトロルミネセンス性の文字５１４ａ〜５１４ｍはそれぞれ、本明細書に開示される方法および器具によって第１のシート５０２（または第２のシート５０４）に適用され得る。例えば、２つまたはそれ以上のモータを有する機械が利用され、シリンジの管状導管および膨張した風船５００を互いに対して動かし、エレクトロルミネセンス性材料を所定のパターンで適用し、かつ／または、導電性接着剤を所定のパターンで適用して、エレクトロルミネセンス性の文字５１４ａ〜５１４ｍおよびトレース５２０をそれぞれ作ることができる。ケーブル５２２は、はんだ付けによって、または電気クリップもしくはコネクタによって、（地点Ｂにおいて）ＰＣＢ５２４に、また（地点Ａにおいて）トレース５２０に、接続され得る。ＰＣＢ５２４は、１つまたは複数のバッテリーを含み得る、電源５２６を含む。マイクロプロセッサ５２５も、ＰＣＢ５２４上に支持され、（回路５１８に電気的に連結された加速度計５２７によって感知さ��る）動き、または（回路に電気的に連結された容量性もしくは抵抗性タッチセンサ５２９によって感知される）触れられることに応じて、エレクトロルミネセンス性の文字５１４ａ〜５１４ｍのうちの１つまたは複数を、例えば、特定のパターンまたはタイミングで、光らせるように構成され得る。
【００３５】
[0076]エレクトロルミネセンスは、材料が電流の通過に応じて光を発する光学的現象および電気的現象である。電源５２６は、電圧を供給し、電流を、ケーブル５２２、トレース５２０、およびエレクトロルミネセンス性の文字５１４ａ〜５１４ｍに通し、エレクトロルミネセンス性の文字５１４ａ〜５１４ｍが「ハッピーバースデー（ＨＡＰＰＹ  ＢＩＲＴＨＤＡＹ）」などのメッセージ、または絵もしくはデザインを照らす。ＰＣＢ５２４は、１つまたは複数のエレクトロルミネセンス性の文字５１４が異なる時間に照らされるように、１つまたは複数のタイマー回路５２８を含み得る。例えば、単語「ハッピー（ＨＡＰＰＹ）」は、最初に１秒間単独で照らされてよく、次に、単語「ハッピー（ＨＡＰＰＹ）」および「バースデー（ＢＩＲＴＨＤＡＹ）」の両方が、続いて共に３秒間照らされてよく、その後、０．５秒、単語「ハッピー（ＨＡＰＰＹ）」も単語「バースデー（ＢＩＲＴＨＤＡＹ）」も照らされない。他の実施形態では、１つまたは複数のタイマー回路５２８は、各文字が次々に照らされ始めるように構成され得る。例えば、「Ｈ」が光り、光ったままとなり、次に、「Ａ」が光り、それによって、「ＨＡ」が見えるようになるなどして、ついに「ハッピーバースデー（ＨＡＰＰＹ  ＢＩＲＴＨＤＡＹ）」が照らされる。一般的に、第１の期間中、第１のサブセットのエレクトロルミネセンス性の文字５１４ａ〜５１４ｍが光り、第２のサブセットのエレクトロルミネセンス性の文字５１４ａ〜５１４ｍは光らない。第２の期間中、第２のサブセットのエレクトロルミネセンス性の文字５１４ａ〜５１４ｍのうちの１つまたは複数を含む、第３のサブセットのエレクトロルミネセンス性の文字５１４ａ〜５１４ｍが光る。いくつかの実施形態では、第２の期間中、第１のサブセットのエレクトロルミネセンス性の文字５１４ａ〜５１４ｍのうちの１つまたは複数は消され得る。いくつかの実施形態では、第１のサブセットおよび第２のサブセットはいずれも、風船５００の同じ表面５１６上にある。他の実施形態では、第１のサブセットは第１の表面５１６上にあり、第２のサブセットは第２の表面上にある。複数の回路５１８が、いくつかの実施形態では採用されて、より複雑な一連の点滅もしくは点灯オプションを提供し、または回路５１８のうちの１つが故障した場合にバックアップを提供することができる。
【００３６】
[0077]エレクトロルミネセンス性の文字５１４を形成するのに利用され得る、エレクトロルミネセンス性材料の例は、黄色がかっているオレンジ色の光を発する、マンガンをドープされた硫化亜鉛、緑色の光を発する、銅をドープされた、粉末硫化亜鉛、青色の光を発する、銀をドープされた粉末硫化亜鉛を含む。他の材料は、ホウ素をドープされた天然のブルーダイヤモンド、リン酸インジウム、ヒ化ガリウム、もしくは窒化ガリウムなど、第３または第５族元素を用いた発光ダイオード（ＬＥＤ）を含む半導体、およびトリス（２，２’−ビピリジン）ルテニウム（ＩＩ）ヘキサフルオロホスフェートを含む有機半導体を含む。いくつかの実施形態では、エレクトロルミネセンス性の文字５１４は、超弾性発光コンデンサ（ＨＬＥＣ）を備え得る。
【００３７】
[0078]図２９は、本明細書に開示される方法および器具のうちのいくつかまたはすべてを用いて構築され得る、おもちゃのダーツ５３０を示す。２つまたはそれ以上のモータを有する機械が利用され、シリンジの管状導管およびおもちゃのダーツ５３０を互いに対して動かし、エレクトロルミネセンス性材料を所定のパターンで適用し、かつ／または、導電性接着剤を所定のパターンで適用して、１つまたは複数のエレクトロルミネセンス性のデザイン５３２、５３４、５３６およびトレース５５０をそれぞれ作ることができる。エレクトロルミネセンス性のデザイン５３２、５３４、５３６は、図２９に示され、他の実施形態では、文字（例えば、メッセージ）または絵を含み得る。ダーツ５３０は、３つのフィン５４０ａ〜５４０ｃが固定されかつ半径方向に延びている、本体５３８と、軟質発泡体ヘッド５４２と、を含む。ヘッド５４２は、球状の形状で示されているが、卵形、円錐形、または他の対称もしくは非対称の形状であってよい。本体５３８、フィン５４０、およびヘッド５４２のうちの１つまたは複数は、発泡体、例えば、ポリウレタン発泡体を含み得る。エレクトロルミネセンス性のデザイン５３２は、フィン５４０ｃの１つの表面５４４に適用されており、さらに、フィン５４０ａ〜５４０ｃのその他の表面に適用され得る。エレクトロルミネセンス性のデザイン５３４は、フィン５４０ａとフィン５４０ｃとの間の表面５４６において本体５３８に適用されているが、本体５３８の他の部分にも適用され得る。エレクトロルミネセンス性のデザイン５３６は、１つの部分５４８においてヘッド５４２に適用されているが、さらに、ヘッド５４２の他の部分に適用され得る。トレース５５０は、エレクトロルミネセンス性のデザイン５３２、５３４、５３６間に延び、本明細書に記載するように、導電性接着剤を含み得、誘電材料で完全に、または部分的に覆われ得る。フレックス回路５５２は、丸まって、本体５３８のキャビティ５５４内部に挿入される。フレックス回路５５２は、１つまたは複数のバッテリー５５６および１つまたは複数のタイマー回路５５８を保持し、これらは、図２８の風船５００のものと同じように機能する。マイクロプロセッサ５６０も、フレックス回路５５２上に保持され、ダーツ５３０のヘッド５４２が物体と接触すると、エレクトロルミネセンス性のデザイン５３２、５３４、５３６のうちの１つまたは複数を、例えば、特定のパターンまたはタイミングで、生じさせるように構成され得る。フレックス回路５５２は、ダーツ５３０のヘッド５４２が物体にいつ接触したかを判定するための加速度計５６２を含み得る。マイクロプロセッサ５６０は、加速度計５６２によって測定される減速度のレベルおよび向きによって、特定のパターンまたはシーケンスを照らすように構成され得る。容量性または抵抗性タッチセンサ５３１も、おもちゃのダーツ５３０の任意の部分に組み込まれ得る。例えば、マイクロプロセッサ５６０は、タッチセンサ５３１が触れられると、エレクトロルミネセンス性のデザイン５３２、５３４、５３６のうちの１つ、いくつか、またはすべてを、２、３、４、５、６、７、８、９、１０、２０、３０、６０秒またはそれ以上の期間にわたり、点滅させるように構成され得る。あるいは、またはさらに、マイクロプロセッサ５６０は、おもちゃのダーツ５３０が投げられたことを示す信号パターンを加速度計５６２が出力すると、エレクトロルミネセンス性のデザイン５３２、５３４、５３６のうちの１つ、いくつか、またはすべてを、２、３、４、５、６、７、８、９、１０、２０、３０、６０秒またはそれ以上の期間にわたり、点滅させるように構成され得る。
【００３８】
[0079]防曇アイウェアが開示され、図３０の防曇眼鏡６００、図３１の防曇スキー用ゴーグル６０２、および図３２の防曇水泳用ゴーグル６０４により表されている。アイウェア６００、６０２、６０４は、フレーム６０６、６０８、６１０と、フレーム６０６、６０８、６１０によって支持されたレンズ６１２ａ、６１２ｂ、６１４、６１６ａ、６１６ｂと、を含む。アイウェアは、本明細書に開示される方法および器具のうちのいくつかもしくはすべてを用いて、フレーム６０６、６０８、６１０に適用される抵抗加熱器トレース６１８、６２０、６２２を含み得、かつ／または、本明細書に開示される方法および器具のうちのいくつかもしくはすべてを用いて、レンズ６１２ａ、６１２ｂ、６１４、６１６ａ、６１６ｂに直接適用された抵抗加熱器トレース６２４、６２６、６２８を含み得る。使用中、電流が、先行する実施形態（図２８〜図２９）のＰＣＢ５２４またはフレックス回路５５２の素子または構成のいずれかを含み得る回路６３０、６３２、６３４によって抵抗加熱器トレース６１８、６２０、６２２、６２４、６２６、６２８を通され、これらはすべて、導電性トレース６４８、６５０、６５２によって接続され得る。２つまたはそれ以上のモータを有する機械が利用されて、シリンジの管状導管および眼鏡またはゴーグル６００、６０２、６０４を互いに対して動かし、抵抗加熱器トレース６１８、６２０、６２２、６２４、６２６、６２８または導電性トレース６４８、６５０、６５２を適用することができる。回路６３０、６３２、６３４はまた、レンズ６１２ａ、６１２ｂ、６１４、６１６ａ、６１６ｂの内部表面に固定された湿度センサ６３６、６３８、６４０に連結することができる。湿度センサは、スイス・シュテファのＳｅｎｓｉｒｉｏｎが製造したＳＨＴＷ２を含み得る。回路６３０、６３２、６３４上に保持されたマイクロプロセッサ６４２、６４４、６４６は、抵抗加熱器トレース６１８、６２０、６２２、６２４、６２６、６２８を通る電流の量を制御するように構成され得る。いくつかの実施形態では、マイクロプロセッサ６４２、６４４、６４６は、湿度センサ６３６、６３８、６４０によって測定される湿度に応じて抵抗加熱器トレース６１８、６２０、６２２、６２４、６２６、６２８を通る電流の量を制御するように構成され得る。レンズ６１２ａ、６１２ｂ、６１４、６１６ａ、６１６ｂのいずれも、矯正レンズまたは非矯正レンズとなるように構成され得、また、ガラスまたはポリマー材料で構築され得る。レンズ６１２ａ、６１２ｂ、６１４、６１６ａ、６１６ｂは、日光から保護するように構築され得、ＵＶ防御を含み得、かつ／または偏光であってよい。
【００３９】
[0080]ガラス、プラスチック、またはセラミックを含む容器本体６５６を有する自動加温飲用グラス６５４が、図３３に示される。回路６５８が、導電性トレース６６０を介して、１つまたは複数の抵抗加熱器トレース６６２、６６３に電気的に接続される。加熱器トレース６６２は、実質的に垂直に延びており（または実質的に長手方向）、加熱器トレース６６３は、実質的に水平に延びている（または実質的に周方向）。加熱器トレース６６２、６６３のいずれかは、容器本体６５６の輪郭に沿うように湾曲され得る。１つまたは複数の抵抗加熱器トレース６６２、６６３は、ユーザの手で把持されないであろう容器本体６５６のエリア６６４を覆うように構成され得る。１つまたは複数の抵抗加熱器トレース６６２、６６３は、熱くなるかまたは著しく暖かい手により生じるユーザの不快感を避けるために、容器本体６５６の把持エリア６６６を意図的に欠いていてよい。加熱器トレース６６２、６６３はいずれも、本明細書に開示される方法および器具のうちのいくつかまたはすべてを用いて適用され得る。例えば、２つまたはそれ以上のモータを有する機械が利用され、シリンジの管状導管および飲用グラス６５４を互いに対して動かし、１つまたは複数の抵抗加熱器トレース６６２、６６３または導電性トレース６６０を適用することができる。
【００４０】
[0081]実施形態が図示され説明されてきたが、さまざまな変更が、本明細書に開示される発明の概念の範囲を逸脱せずに、行われ得る。
【００４１】
[0082]本明細書に開示される範囲はまた、ありとあらゆる重複、部分範囲、およびそれらの組み合わせを包含する。「まで（ｕｐ  ｔｏ）」、「少なくとも（ａｔ  ｌｅａｓｔ）」、「より多い（ｇｒｅａｔｅｒ  ｔｈａｎ）」、「より少ない（ｌｅｓｓ  ｔｈａｎ）」、「間（ｂｅｔｗｅｅｎ）」などといった言い回しは、列挙される数を含む。本明細書で使用される「およそ」、「約」、および「実質的に」などの用語が先行する数は、列挙された数を含み（例えば、約１０％＝１０％）、依然として所望の機能を実行するか、または、所望の結果を達成する、定められた量に近い量も表す。例えば、用語「およそ」、「約」、および「実質的に」は、定められた量の、１０％未満以内、５％未満以内、１％未満以内、０．１％未満以内、および０．０１％未満以内の量を指すことができる。
【図１】
2020531251.tif 000003
【図２】
2020531251.tif 000004
【図３】
2020531251.tif 000005
【図４】
2020531251.tif 000006
【図５】
2020531251.tif 000007
【図６】
2020531251.tif 000008
【図７Ａ】
2020531251.tif 000009
【図７Ｂ】
2020531251.tif 000010
【図７Ｃ】
2020531251.tif 000011
【図７Ｄ】
2020531251.tif 000012
【図７Ｅ】
2020531251.tif 000013
【図７Ｆ】
2020531251.tif 000014
【図７Ｇ】
2020531251.tif 000015
【図７Ｈ】
2020531251.tif 000016
【図７Ｉ】
2020531251.tif 000017
【図７Ｊ】
2020531251.tif 000018
【図８】
2020531251.tif 000019
【図９】
2020531251.tif 000020
【図１０】
2020531251.tif 000021
【図１１】
2020531251.tif 000022
【図１２】
2020531251.tif 000023
【図１３】
2020531251.tif 000024
【図１４】
2020531251.tif 000025
【図１５】
2020531251.tif 000026
【図１６】
2020531251.tif 000027
【図１７】
2020531251.tif 000028
【図１８】
2020531251.tif 000029
【図１９】
2020531251.tif 000030
【図２０】
2020531251.tif 000031
【図２１】
2020531251.tif 000032
【図２２】
2020531251.tif 000033
【図２３】
2020531251.tif 000034
【図２４】
2020531251.tif 000035
【図２５】
2020531251.tif 000036
【図２６】
2020531251.tif 000037
【図２７】
2020531251.tif 000038
【図２８】
2020531251.tif 000039
【図２９】
2020531251.tif 000040
【図３０】
2020531251.tif 000041
【図３１】
2020531251.tif 000042
【図３２】
2020531251.tif 000043
【図３３】
2020531251.tif 000044
【国際調査報告】
2020531251.tif 000045
2020531251.tif 000046
2020531251.tif 000047
2020531251.tif 000048